【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
搬送路においてシートを搬送する搬送手段と、
前記超音波を発信する発信手段と、
前記発信手段に対向して取り付けられ、前記発信手段から発信された超音波を受信する受信手段と、
前記受信手段から出力される出力信号の振幅レベルを閾値と比較することで前記搬送路において複数のシートが重送しているかどうかを検知する重送検知手段と、
前記閾値を決定する際には第一バースト間隔で前記発信手段に超音波を発信させ、前記シートの重送を検知する際には前記第一バースト間隔よりも短い第二バースト間隔で前記発信手段に超音波を発信させる制御手段と、
前記搬送路にシートが無い状態で前記発信手段が前記第一バースト間隔で発信した超音波を前記受信手段が受信することで出力した出力信号の振幅レベルに基づき重送と単送とを区別可能な前記閾値を決定する決定手段と
を有することを特徴とするシート搬送装置。
【請求項２】
前記制御手段は、前記シートの搬送を指示されたタイミングから前記シートが前記発信手段と前記受信手段との間に到達するまでの前記搬送路にシートが無い状態で前記発信手段に超音波を発信させて、前記決定手段に前記閾値を決定させ、
前記重送検知手段は、前記シートが前記発信手段と前記受信手段との間に到達すると、前記決定手段により決定された前記閾値を用いて複数のシートが重送しているかどうかを検知することを特徴とする請求項１に記載のシート搬送装置。
【請求項３】
前記第一バースト間隔は前記発信手段から発信された超音波の残響が所定の許容限度以下となるのに必要となる時間であることを特徴とする請求項１または２に記載のシート搬送装置。
【請求項４】
前記第二バースト間隔は前記発信手段から発信された超音波の残響が所定の許容限度以下となるのに必要となる時間であることを特徴とする請求項１または２に記載のシート搬送装置。
【請求項５】
前記決定手段は、前記搬送路にシートが無い状態で取得された振幅レベルに補正係数を乗算することで前記閾値を決定することを特徴とする請求項１ないし４のいずれか一項に記載のシート搬送装置。
【請求項６】
前記決定手段は、前記搬送路にシートが無い状態で取得された振幅レベルに補正係数およびマージンを乗算することで前記閾値を決定することを特徴とする請求項１ないし４のいずれか一項に記載のシート搬送装置。
【請求項７】
前記発信手段および前記受信手段は、前記搬送路に対して斜めに取り付けられていることを特徴とする請求項１ないし６のいずれか一項に記載のシート搬送装置。
【請求項８】
前記受信手段は、
前記発信手段に対向して取り付けられ、前記超音波の振幅に応じた出力信号を出力する出力手段と、
前記出力手段から出力された出力信号を増幅する増幅手段と、
前記増幅手段で増幅された出力信号をアナログデジタル変換する変換手段と
を有し、
前記増幅手段は、前記閾値を決定する際には第一増幅度で前記出力手段からの出力信号を増幅し、複数のシートが重送しているかどうかを検知する際には前記第一増幅度よりも大きな第二増幅度で前記出力手段からの出力信号を増幅することを特徴とする請求項７に記載のシート搬送装置。
【請求項９】
前記増幅手段は、第一増幅段と、前記第一増幅段の後段に接続された第二増幅段とを有し、
前記変換手段は、前記第一増幅段で増幅された出力信号をアナログデジタル変換する第一変換回路と、前記第一増幅段で増幅されかつ前記第二増幅段で増幅された出力信号をアナログデジタル変換する第二変換回路とを有し、
前記決定手段は、前記第一変換回路により出力された前記出力信号の振幅レベルを用いて前記閾値を決定し、
前記重送検知手段は、前記第二変換回路により出力された前記出力信号の振幅レベルを用いて複数のシートが重送しているかどうかを検知することを特徴とする請求項８に記載のシート搬送装置。
【請求項１０】
搬送路においてシートを搬送する搬送手段と、
前記超音波を発信する発信手段と、
前記発信手段に対向して取り付けられ、前記発信手段から発信された超音波を受信する受信手段と、
前記受信手段から出力される出力信号の振幅レベルを閾値と比較することで前記搬送路において複数のシートが重送しているかどうかを検知する重送検知手段と、
前記閾値を決定する際には第一バースト間隔で前記発信手段に超音波を発信させ、前記シートの重送を検知する際には前記第一バースト間隔よりも短い第二バースト間隔で前記発信手段に超音波を発信させる制御手段と、
前記搬送路にシートが無い状態で前記発信手段が前記第一バースト間隔で発信した超音波を前記受信手段が受信することで出力した出力信号の振幅レベルに基づき重送と単送とを区別可能な前記閾値を決定する決定手段と、
前記重送検知手段が重送を検知しなければ前記シートに形成された画像を読み取る読取手段と
を有することを特徴とする画像読取装置。
【手続補正２】
【補正対象書類名】明細書
【補正対象項目名】０００５
【補正方法】変更
【補正の内容】
【０００５】
本発明は、たとえば、
搬送路においてシートを搬送する搬送手段と、
前記超音波を発信する発信手段と、
前記発信手段に対向して取り付けられ、前記発信手段から発信された超音波を受信する受信手段と、
前記受信手段から出力される出力信号の振幅レベルを閾値と比較することで前記搬送路において複数のシートが重送しているかどうかを検知する重送検知手段と、
前記閾値を決定する際には第一バースト間隔で前記発信手段に超音波を発信させ、前記シートの重送を検知する際には前記第一バースト間隔よりも短い第二バースト間隔で前記発信手段に超音波を発信させる制御手段と、
前記搬送路にシートが無い状態で前記発信手段が前記第一バースト間隔で発信した超音波を前記受信手段が受信することで出力した出力信号の振幅レベルに基づき重送と単送とを区別可能な前記閾値を決定する決定手段と
を有することを特徴とするシート搬送装置を提供する。
【手続補正３】
【補正対象書類名】明細書
【補正対象項目名】００１１
【補正方法】変更
【補正の内容】
【００１１】
レジストローラ対１０６は原稿１０２の斜行を補正する搬送ローラである。リードローラ対１０８は原稿１０２を流し読みガラス１１６に向けて搬送する搬送ローラである。流し読みガラス１１６に対向してプラテンガイド１１０が配置されている。流し読みガラス１１６上を通過する原稿１０２の表面の画像情報が画像センサ１２６により読み取られる。画像センサ１２６が原稿１０２の読み取りが終了すると、リード排出ローラ対１１１は原稿１０２を排紙ローラ対１１３に向けて搬送する搬送ローラである。排紙ローラ対１１３は原稿１０２を排紙トレイ１１４に排出する搬送ローラである。なお、これらの搬送ローラは搬送路においてシートを搬送する搬送手段として機能する。
【手続補正４】
【補正対象書類名】明細書
【補正対象項目名】００１４
【補正方法】変更
【補正の内容】
【００１４】
超音波の発信系は駆動回路２０３と超音波発信部Ｔ１を有している。駆動回路２０３は超音波発信部Ｔ１および超音波受信部Ｔ２の共振周波数に近い周波数（本実施例では３００ＫＨｚ）のバースト信号をＣＰＵ２０１から受信し、超音波発信部Ｔ１の駆動に必要な電圧のバースト信号に変換する。超音波発信部Ｔ１は駆動回路２０３からのバースト信号にしたがって超音波を発信する。
【手続補正５】
【補正対象書類名】明細書
【補正対象項目名】００３７
【補正方法】変更
【補正の内容】
【００３７】
ＣＰＵ２０１は、Ｎ回のバースト発信についてそれぞれ同一のサンプリングポイントでサンプリングを実行して、その結果を平均化する。つまり、Ｎ回のバースト発信のそれぞれでＣＰＵ２０１は駆動回路２０３に駆動信号の出力を生成したタイミングから定期間後にサンプリングを開始する。これにより、Ｎ回のそれぞれにおいてサンプリングポイントの位相（位置）が一致するようになる。図１０によれば、サンプリングポイントＡではA[1]〜A[8]のサンプル値が取得され、それらが平均化されて、A[ave]が求められる。
【手続補正６】
【補正対象書類名】明細書
【補正対象項目名】００４２
【補正方法】変更
【補正の内容】
【００４２】
Ｓ１０３でＣＰＵ２０１は、決定された振幅に基づき重送検知用の閾値を決定する。図７（Ｂ）を用いて説明したように、超音波の減衰量が変動しても、原稿が有る状態での振幅と原稿が無い状態での振幅との比率Ｒは一定である。よって、ＣＰＵ２０１は、メモリ２０６に記憶された振幅値に所定の補正係数を乗算することで閾値を決定し、メモリ２０６に格納する。補正係数は、たとえば、０．７である。補正係数を決定するために、市場で入手可能な様々な原稿のうち、最も超音波の減衰量の多い原稿（出力信号の振幅値が最小となるもの）が実験により決定される。この原稿について原稿が有る状態での振幅と原稿が無い状態での振幅が測定され、その比率Ｒが求められる。比率ＲにマージンＭｇが乗算され、補正係数Ｅが決定される。マージンＭｇを用いることで、厚紙が搬送されても重送と誤検知される可能性が小さくなる。
【手続補正７】
【補正対象書類名】明細書
【補正対象項目名】００５１
【補正方法】変更
【補正の内容】
【００５１】
図１３（Ａ）は原稿無し状態における超音波の伝搬の様子を示している。図１３（Ｂ）は原稿有り状態における超音波の伝搬の様子を示している。いずれの場合も、超音波発信部Ｔ１と超音波受信部Ｔ２は原稿１０２が搬送される搬送パス３０１に対して斜めに取り付けられている。
【手続補正８】
【補正対象書類名】明細書
【補正対象項目名】００５８
【補正方法】変更
【補正の内容】
【００５８】
図２を用いて説明したように、超音波の受信系は、超音波受信部Ｔ２、増幅器２０４およびＡＤ変換器２０５を有している。超音波受信部Ｔ２は超音波発信部Ｔ１が発信した超音波の振幅に応じた出力信号を出力する。増幅器２０４は超音波受信部Ｔ２から出力された出力信号を増幅する。ＡＤ変換器２０５は増幅器２０４で増幅された出力信号をアナログデジタル変換する。とりわけ、増幅器２０４は、閾値を決定する際には第一増幅度で超音波受信部Ｔ２からの出力信号を増幅し、複数のシートが重送しているかどうかを検知する際には第一増幅度よりも大きな第二増幅度で超音波受信部Ｔ２からの出力信号を増幅する。これにより、閾値を決定する際には出力信号の振幅の飽和を抑制できるようになる。また、重送を検知する際にはシートによって超音波が減衰し、超音波受信部Ｔ２からの出力信号の振幅が小さくなっても、重送を検知可能となるほどに増幅することが可能となる。